(57)【特許請求の範囲】
【請求項１】
押ボタン式の発信スイッチの保護板を窓孔より露見させるとともに、保護板係止解除手段の操作窓を設けた表カバーと、この保護板が押圧操作されたときにこの保護板を係止して押ボタン式の発信スイッチを押圧状態に保持させる保護板係止手段及びこの保護板係止手段による保護板の係止を解除する保護板係止解除手段を取り付けたベース本体とより成る火災発信機において、
前記表カバーの内面と、ベース本体の対応した内面とに、表カバーを前面から押圧して取着させる係合結合手段を設けるとともに、表カバーの周縁にこの係合結合を解除する結合解除手段を設けたものであり、
前記係合結合手段として、表カバーの内面に係合用の係合爪を設けるとともに、ベース本体の内面のこの係合爪と対応する箇所に先端の爪部分よりも大きい寸法で、同係合爪を係合するときに先端の突出部分をガイドするためのガイド斜面に連なって係合孔を設け、且つ、ベース本体の内縁面に突設した係合爪を設けるとともに、表カバーの周縁部のこの係合爪と対応する箇所に係合受片を設け、前記結合解除手段として、同ベース本体の係合爪と表カバーの係合受片との係合を解除するための解除孔をこの表カバーの周縁部に１カ所設けたことを特徴とする火災発信機。
【発明の詳細な説明】
【０００１】
【発明の属する技術分野】
本発明は、火災発生や非常時などの緊急報知に使用する火災発信機の改良に関する。
【０００２】
【従来の技術】
この種の火災発信機Ｐは、例えばビル等において、図３に示すように、押ボタン式の発信スイッチの保護板１０１ａを窓孔１０１より露見させた表カバー１００を、壁面などから露出するように廊下などに設置され、火災発生時などに、保護板１０１ａを強く押圧すれば、内蔵されている押ボタン式の発信スイッチの操作部が押圧保持されて受信機１０２側に報知信号が送られ、受信機１０２の近くに設置された警報ランプ１０３が点滅されるとともに警報を発生するようになっている。
【０００３】
保護板１０１ａは、押ボタン式の発信スイッチが悪戯などにより容易に操作されることを防止するために操作ボタンを保護するもので、緊急時においては、押ボタン式の発信スイッチを操作するために押圧され、ノックアウト１０１ｂによって圧壊される。従って、保護板１０１ａは使用の度に圧壊され、その都度、取り替えが必要なものであった。そこで、本出願人は、この問題を解決すべく、保護板１０１ａを圧壊することなく押ボタン式の発信スイッチを押圧保持でき、復旧時に保護板を元の状態に戻して再使用可能な火災発信機をすでに提案している。
【０００４】
図４乃至図８は、この提案に係わる火災発信機の構造を示したもので、押ボタン式の発信スイッチ１を、その操作部１ａが中央に形成した押ボタン挿通孔２ａより突出させて、裏面側から図示していないねじにより取り付けるようにした、円板状のベース本体２には、環状の保護板ガイド壁２ｂが押ボタン挿通孔２ａを取り囲むようにして形成され、さらにその外周には、解除ボタン受入凹部２ｄを有した上円下方形の隔壁２ｃを同心状に形成している。保護板係止手段に相当する、ばね鋼線で製された上円下方形の係止部材５１は、上記した上円下方形の隔壁２ｃ内に収容され、その方形部５１ａを、コ字状の固定ガイド壁２ｆと上記上円下方形の隔壁２ｃで挟まれた収容部２ｅに収容固定させ、その上から周縁に係止鍔部４ａを設けた円形キャップ状の保護板４を保護板係止解除手段に相当する復帰ばね６１とともに中央に保護板４を突出させる開口４１ａを形成した上円下方状の保護板押え４１によってベース本体２に取り付け、切欠４ｂによって保護板４が廻り止めされ、図８に示すように、解除ボタン６２のくさび型突部６２ａが係止部材５１の切欠部５１ｂに位置決めされるようにして、解除ボタン６２の操作部６２ｂを保護板押え４１の解除ボタン収容孔４１ｂに収容させるようになっている。なお、上記の保護板押え４１は、その周囲に形成された耳部４１ｃを介してタッピンねじによってベース本体２に固定される。
【０００５】
上記の火災発信機Ｐは、図６に示すベース本体２のダルマ孔２ｇ、２ｇにねじ７、７を挿通させ、壁面Ｗに形成された穴部Ｈ内に取り付けられたスイッチボックスＳＢにベース本体２を固定させた後、ベース本体２の上方より、表カバー３を被せ、その窓孔３ａの両側に形成したねじ穴３ｂ、３ｂよりねじ８、８を挿通し、ゴムワッシャ８１、８１を介してベース本体２のねじ溝の形成されたねじ取付台座２ｈ、２ｈに螺入させ、表カバー３がベース本体２に一体的に固定される。そして、図５に示したように、火災発信機Ｐは表カバー３の中央の窓孔３ａより保護板４を露見させた状態で壁面Ｗに埋設設置される。
【０００６】
更に、この提案に係わる火災発信機Ｐの表カバー３には、扉９１を開閉可能に取り付けた窓枠９を嵌入させる操作窓３ｃが形成されているので、この扉９１を開けば解除ボタン６２の操作部６２ｂを露見させることができる。従って、このような構造の火災発信機Ｐによれば、火災発生時などの緊急時に表カバー３の窓孔３ａより露見させた保護板４を強く押圧したときには、図７に示したように、復帰ばね６１の弾性力に抗して保護板４が押し込まれて、その係止鍔部４ａが係止部材５１によって係止されるので、押ボタン式の発信スイッチ１の操作部１ａが押圧状態に保持されて発報状態に保持される（このとき、係止部材５１の切欠部５１ａは、図８の２点鎖線で示すように挟まって、保護板４の係止鍔部４ａを係合保持する。）
ところが一方、復旧時には、表カバー３の扉９１を開ければ、解除ボタン６２の操作部６２ｂが露見するので、この操作部６２ｂを押圧すると、前記係止部材５１の切欠部５１ａが押し拡げられ、図８に示したように、係止部材５１の内周縁が、保護板４の係止鍔部４ａの外縁よりも大きくなるので、保護板４は再び図５に示したように、復帰ばね６１の弾性力によって引き出し状態に戻り、押ボタン式の発信スイッチ１に対する押圧力も解除されてオフ状態に戻る。
【０００７】
提案された火災発信機Ｐは、以上のような動作を行うため、押圧された保護板４は圧壊されることなく発報でき、このようにして発報させた後は表カバー３の操作窓３ｃの扉９１を開け、解除ボタン６２の操作部６２ｂを押圧操作するだけで、復帰ばね６１の弾性力を利用して保護板４を元の状態に復帰させて再使用ができるという利点があった。
【０００８】
【発明が解決しようとする課題】
ところで、上記の提案に係わる火災発信機は、押ボタン式の発信スイッチを取り付けたベース本体に表カバーをねじ止めする構造のものであり、その施工作業に手間を要するなどの問題があった。
【０００９】
本発明は、上記事由に鑑みてなしたもので、その目的とするところは、保護板を圧壊することなく押ボタン式の発信スイッチを押圧保持でき、しかも押ボタン式の発信スイッチを押圧保持させて発報した後の復旧時に、押ボタン式の発信スイッチを保護板とともに元の状態に復帰できる上に、表カバーとベース本体との着脱を互いの係合の着脱によって簡単にできる火災発信機を提供することにある。
【００１０】
【課題を解決するための手段】
上記目的を達成するために、請求項１記載の火災発信機は、押ボタン式の発信スイッチの保護板を窓孔より露見させるとともに、保護板係止解除手段の操作窓を設けた表カバーと、この保護板が押圧操作されたときにこの保護板を係止して押ボタン式の発信スイッチを押圧状態に保持させる保護板係止手段及びこの保護板係止手段による保護板の係止を解除する保護板係止解除手段を取り付けたベース本体とより成る火災発信機において、前記表カバーの内面と、ベース本体の対応した内面とに、表カバーを前面から押圧して取着させる係合結合手段を設けるとともに、表カバーの周縁にこの係合結合を解除する結合解除手段を設けている。これにより、表カバーが前面からベース本体に押圧して取着し係合結合できるとともに、この係合結合を解除しうるものとなる。
【００１１】
また、請求項１記載の火災発信機は、前記係合結合手段として、表カバーの内面に係合用の係合爪を設けるとともに、ベース本体の内面のこの係合爪と対応する箇所に先端の爪部分よりも大きい寸法で、同係合爪を係合するときに先端の突出部分をガイドするためのガイド斜面に連なって係合孔を設け、且つ、ベース本体の内縁面に突設した係合爪を設けるとともに、表カバーの周縁部のこの係合爪と対応する箇所に係合受片を設け、前記結合解除手段として、同ベース本体の係合爪と表カバーの係合受片との係合を解除するための解除孔をこの表カバーの周縁部に１カ所設けている。これにより、解除孔を介して１カ所の係合受片による係合を解除することにより、表カバーとベース本体との係合を解除できるとともに、表カバーが悪戯などによって容易に外されることがない。
【００１２】
【発明の実施の形態】
以下、本発明の火災発信機の一実施の形態を図１及び図２に基づいて説明する。なお、従来例のものと同じ部材については同一の符号を付しており詳細な説明は省略する。図１は、火災発信機の概略構成図で、（ａ）は正面図、（ｂ）はＢ−Ｂ側面断面図、（ｃ）はＣ−Ｃ側面断面図、（ｄ）はＤ部矢視図である。図２は、図１に示す火災発信機の表カバーの取付作業を説明するための説明図である。
【００１３】
この火災発信機Ｐも、押ボタン式の発信スイッチ１の保護板４を窓孔３ａより露見させるとともに、保護板係止解除手段の操作窓３ｃを設けた表カバー３と、この保護板４が押圧操作されたときにこの保護板４を係止して押ボタン式の発信スイッチ１を押圧状態に保持させる保護板係止手段及びこの保護板係止手段による保護板の係止を解除する保護板係止解除手段を取り付けたベース本体２とより成るもので、詳しくは、従来例と実質的に同一機能の押ボタン式の発信スイッチ１、ベース本体２、表カバー３、保護板４、保護板係止手段に相当する係止部材５１、保護板係止解除手段に相当する復帰ばね６１を備えている。そして、表カバー３の内面と、ベース本体２の対応した内面とに、表カバー３を前面から押圧して取着させる係合結合手段を設けるとともに、表カバー３の周縁にこの係合結合を解除する結合解除手段を設けている。
【００１４】
このもののベース本体２は、上記の係合結合手段に相当するもので、後述する表カバー３の、係合爪３ｄと対応する箇所に係合孔２ｉと、係合受片３ｅと対応する箇所である内縁面に突設した係合爪２ｌとをそれぞれ有している。
【００１５】
係合孔２ｉは、円板状のベース本体２内面の所定の位置に設けられた方形状の突部の中央の、後述する係合爪３ｄの先端の爪部分と係合結合する高さ位置に、係合爪３ｄの爪部分より僅かに大きい寸法で、係合爪３ｄを係合するときに先端の突出部分をガイドするためのガイド斜面２ｊに連なって設けられている。この係合孔２ｉのガイド斜面２ｊの反対側には、係合結合時にこの爪部分を収納する開口空間２ｋが設けられている。なお、この係合孔２ｉは、ベース本体２を設置した状態における、中央より上方の位置の左右に２つ設けられている。
【００１６】
係合爪２ｌは、後述する表カバー３の係合受片３ｅと係合結合される係合結合手段で、係合受片３ｅと対応する箇所である内縁面に突設し形成される。係合爪２ｌは、その爪部分は内縁から外側に向けて形成され、その突起の中間部分が所定の押圧力によって側方から押圧されたとき、先端の爪部分と係合受片３ｅとの係合が離脱して元に戻り得るばね性を持って形成されている。
【００１７】
このものの表カバー３は、ＡＢＳ樹脂等の合成樹脂によって形成されている。そして、係合結合手段に相当するもので、中央より上方の位置の操作窓３ｃを挟んだ左右の、前記のベース本体２の係合孔２ｉと対応する箇所に係合爪３ｄと、下方に設けられた係合爪２１と対応する箇所である周縁部にこの係合爪２１と係合する係合受片３ｅと、係合爪２１と係合受片３ｅの係合を解除するための係合解除手段に相当する解除孔３ｆとを有している。
【００１８】
係合爪３ｄは、その爪部分は内縁から外側に向けて形成されている。係合受片３ｅは、表カバー３の周縁部から所定の幅寸法にて内方に向けて突出して形成されている。解除孔３ｆは、図１（ｃ）、（ｄ）に示すように、マイナスドライバの先端部分を挿入し得る幅及び長さを有している。
【００１９】
以上説明した火災発信機は、表カバー３は、まず、係合爪３ｄが係合孔２ｉに挿通され、次いで、ベース本体２の係合爪２ｌが係合受片３ｅに係合するように表カバーが前面から押圧されてベース本体２に取着されて係合結合される。そして、表カバーの係合結合を解除するときは、係合受片３ｅと係合した係合爪２ｌの基端部分を、解除孔３ｆに挿入したマイナスドライバの先端部分にて押圧することにより先端の突出部分の係合を解除することができる。
【００２０】
以上説明した火災発信機は、保護板４を圧壊することなく押ボタン式の発信スイッチ１を押圧保持でき、しかも押ボタン式の発信スイッチ１を押圧保持させて発報した後の復旧時に、押ボタン式の発信スイッチを保護板４とともに元の状態に復帰できる上に、表カバー３が前面からベース本体２に押圧して取着し係合結合できるとともに、この係合結合を解除しうるものとなるので、表カバー３とベース本体２との取着が互いの係合によって僅かな作業にて簡単にでき、さらに、ドライバなどの工具を使用して係合解除が僅かな作業により簡単に出来る。つまり、解除孔３ｆを介して１カ所の係合受片３ｅによる係合を解除することにより、表カバー３とベース本体２との係合を解除できるとともに、解除孔３ｆを表カバー３の周縁部に設けたので、表カバー３が悪戯などによって容易に外されることがない。
【００２１】
【発明の効果】
請求項１記載の火災発信機は、表カバーが前面からベース本体に押圧して取着し係合結合できるとともに、この係合結合を解除しうるものとなるので、表カバーとベース本体との取着が互いの係合によって僅かな作業にて簡単にでき、さらに、ドライバなどの工具を使用して係合解除が僅かな作業により簡単に出来る。
【００２２】
つまり、解除孔を介して１カ所の係合受片による係合を解することにより、表カバーとベース本体との係合を解除できるとともに、解除孔を表カバーの周縁部に設けたので、表カバーが悪戯などによって容易に外されることがない。
【図面の簡単な説明】
【図１】本発明の一実施の形態を示す火災発信機の概略構成図で、（ａ）は正面図、（ｂ）はＢ−Ｂ側面断面図、（ｃ）はＣ−Ｃ側面断面図、（ｄ）はＤ部矢視図である。
【図２】図１に示す火災発信機の表カバーの取付作業を説明するための説明図である。
【図３】火災発信機の使用状態の説明図である。
【図４】従来例の火災発信機を示す分解斜視図である。
【図５】従来例の火災発信機の側面断面図である。
【図６】従来例の火災発信機の表カバーの取付作業を説明するための説明図である。
【図７】従来例の火災発信機の保護板を押圧したときの部分側面断面図である。
【図８】従来例の火災発信機の要部である係止部材の説明図である。
【符号の説明】
Ｐ    火災発信機
１    発信スイッチ
２    ベース本体
２ｉ  係合孔（係合結合手段）
２ｌ  係合爪
３    表カバー
３ａ  窓孔
３ｃ  操作窓
３ｄ  係合爪（係合結合手段）
３ｅ  係合受片
３ｆ  解除孔（係合解除手段）
４    保護板
５１  係止部材（保護板係止手段）
６１  復帰ばね（保護板係止解除手段）
【図１】
0003865832.tif 000002
【図２】
0003865832.tif 000003
【図３】
0003865832.tif 000004
【図４】
0003865832.tif 000005
【図５】
0003865832.tif 000006
【図６】
0003865832.tif 000007
【図７】
0003865832.tif 000008
【図８】
0003865832.tif 000009